(57)【要約】      （修正有）【課題】骨盤運動者の脚長に合わせて運動器具を調節することができ、かつ、楽な状態で運動を行うことができるとともに、分解、組立、携帯及び保管が簡便で容易である骨盤強化用運動器具を提供する。【解決手段】取っ手部１１０及び円筒状クッション部１５０を備えた挿脱管１２０の突出量調整及び挿脱を可能とする円筒状の支持管１３０と、該支持管１３０が軸１６１を中心に上下左右に角度調節可能となるよう支持する固定板支持具１７０とからなる一対の構造体を両側端部において結合ボルトＢによって結合固定するとともに、例えば、図示しない椅子のクッション部を締結するための２本の固定用ベルト２００を固定するための結合ボルトＢ’を結合可能な３つのボルト孔Ｐを備える両側支持具連結バー１８０とからなる、分解、組立、携帯及び保管が簡便で容易な骨盤強化用運動器具とする。【選択図】図３
2019098189.tif 000002
【特許請求の範囲】
【請求項１】
上部に取っ手部（１１０）が備えられ、前記取っ手部（１１０）の下方に長く延設される円筒状の挿脱管（１２０）と、
前記円筒状の挿脱管（１２０）が挿脱できるように内部に円筒状空間部が形成され、前記挿脱管（１２０）の一側に弾力的に突出する突起（１３２）が選択的に結合固定されるようにかつ長さを調節するようことができるように一側に多数の孔が下方に長く配設される円筒状の支持管（１３０）と、
前記挿脱管（１２０）と密着して固定されるように前記支持管（１３０）の軸上に位置するパッキング部（１４０）と、
前記円筒状の挿脱管（１２０）の取っ手部（１１０）の下部一側に前方に一定角度（θ）で傾いて前記挿脱管（１２０）に一体に延設される支持軸（１５１）の一側端部にクッション支持板（１５２）が付着され、前記支持軸（１５１）の軸上に運動者の脚部位が位置したままで回転できるように取り付けられる円筒状クッション部（１５０）と、
前記円筒状支持管（１３０）の下端部が結合される支持軸（１６１）と前記支持軸（１６１）の後方上側及び下側にそれぞれ横設される上部及び下部係止軸（１６２、１６３）がそれぞれ形成され、内部には前記上部及び下部係止軸（１６２、１６３）の間で前記円筒状支持管（１３０）が軸（１６１）を中心に上下左右に角度調節できるように空間部が形成される両側固定板（１６０）と、
前記両側固定板（１６０）の下端部が取り付けられる固定板支持具（１７０）と、
前記両側固定板（１６０）が取り付けられる固定板支持具（１７０）の端部に一側が結合ボルト（Ｂ）によって結合固定されて水平方向に長く延設され、他側にも円筒状支持管（１３０）が軸（１６１）を中心に上下左右に角度調節できるように固定板（１６０）が取り付けられる固定板支持具（１７０）の端部が結合ボルト（Ｂ）によって結合固定される両側支持具連結バー（１８０）と、
前記両側支持具連結バー（１８０）の下部両側にスクリューによって固定的に取り付けられ、椅子のクッション部に締結されることにより、前記両側支持具連結バー（１８０）及びこれに取り付けられる挿脱管（１２０）及び円筒状の支持管（１３０）を固定するように前記両側支持具連結バー（１８０）の下側に取り付けられる固定用ベルト（２００）とを含み、
前記両側固定板支持具１７０を結合ボルト（Ｂ）によって連結及び結合する両側支持具連結バー（１８０）は、前記結合ボルト（Ｂ）の下側に取っ手用回動具（１９０）が取り付けられ、前記両側支持具連結バー（１８０）は二つの固定用ベルト（２００）と前記両側支持具連結バー（１８０）に形成された三つのボルト孔（Ｐ）を通過する結合ボルト（Ｂ’）によって固定されるように、椅子のクッション部の下側に位置することを特徴とする、骨盤強化用運動器具。
【発明の詳細な説明】
【技術分野】
【０００１】
本発明は、両膝を閉じたり広げたりする運動を行うとき、骨盤と骨盤腔内の泌尿生殖系統の括約筋が強く収縮及び弛緩する運動効果を得ることができる骨盤運動器具に関し、より詳しくは、骨盤運動者の脚長に合わせて円筒状クッション部が取り付けられた挿脱管の高さを手軽くて容易に調節することができ、人体の脚が位置する円筒状クッション部が前方に一定角度で傾いて取り付けられ、骨盤運動者は両側脚部が一定角度で広がっている楽な状態で両膝を閉じたり広げたりする運動を行うことができるのはもちろんのこと、左右側に分割構成される骨盤運動器具の分解及び組立が容易になり、前記骨盤運動器具の着脱が容易であって携帯及び保管が簡便で容易である骨盤強化用運動器具に関する。
【背景技術】
【０００２】
一般に、健康は全ての人々が追い求める一番本質的な生の目標であり、このような元気な生を維持するために持続的に有益な運動を行うことが好ましい。運動によって筋力を高めるだけではなく、生活に活力も吹き込むことができるようになる。特に、下体運動量が絶対的に足りない事務職従事者の場合には、運動時に脊椎の下部にある骨盤の矯正が重要である。その理由としては、脊椎の下側に位置する骨盤がねじれている状態での運動は脊椎に負担になり、椎間板脱出を引き起こす可能性があるからである。
【０００３】
一方、椅子上に載せてからそれにかけた姿勢で腰をぴんと伸ばし、両脚の膝を内側に閉じたり広げたりする繰り返しストレッチングによって骨盤と腰に筋力が増加して前立腺炎の予防に役立つ前立腺炎予防のための骨盤運動器具が韓国公開特許第１０−２００８−００１９０４１号公報（公開日：２００８年０２月２９日）に開示されている。
【０００４】
その技術的な構成は、図１に示すように、ケース２の内部に備えられる支持台３にＶ字形コイルスプリング４が挿着され、前記Ｖ字形コイルスプリング４の弾力棒４−１の両側には拘束具５が結合され、前記拘束具５が前記ケース２の正面に形成された楕円形孔２−１に取り付けられ、前記ケース２の外部に長く伸びた弾力棒４−１の両端には両脚の膝に密着するように押圧板６が結合具６−１を介して結合固定される構成となっている。
【０００５】
したがって、前記のような骨盤運動器具は、現在使われている椅子上にケース２を載せてかける姿勢で腰をぴんと伸ばし、両脚の膝を押圧板６に密着した後、前記両脚を内側に閉じたり外側に広げたりする繰り返しストレッチングによって骨盤及び腰又は下腹に筋力が生じて前立腺炎の予防に役立つことができる。
【０００６】
しかし、前記のような骨盤運動器具は、運動者がケース２にお尻を密着した後、両膝部位を押圧板６に密着させたままで両脚を内側に閉じてからコイルスプリング４の弾性力によって広がる単純な作用によって、ただ人体の下腹が動くストレッチング作用のみ遂行するだけで、骨盤と括約筋が強く収縮する運動効果は全然得られない欠点がある。
【０００７】
さらに、前記両膝部位が密着する押圧板６がコイルスプリング４に連結された弾力棒４−１から易しく離脱するため、両脚の運動をまともに遂行することができなくなる大きな問題点もある。
【先行技術文献】
【特許文献】
【０００８】
【特許文献１】韓国公開特許第１０−２００８−００１９０４１号公報
【発明の概要】
【発明が解決しようとする課題】
【０００９】
本発明の技術的課題は前記のような従来の問題点を改善するためのもので、その目的は、円筒状の挿脱管の上部に備えられた取っ手部を手で握り、前記取っ手部の下部一側に取り付けられた円筒状クッション部に運動者の脚をそれぞれ載せてから上下左右に動く簡単な動作によって両膝を閉じたり広げたりする運動を行うとき、骨盤と骨盤腔内の泌尿生殖系統の括約筋などが強く収縮する運動効果が得られ、骨盤運動者の脚長に合わせて前記円筒状クッション部が取り付けられた挿脱管の高さを手軽くて容易に調節するようにし、特に人体の脚が位置する円筒状クッション部が前方に一定角度で傾いて取り付けられ、骨盤運動者は両側脚部が一定角度で広がっている楽な状態で両膝を閉じたり広げたりする運動を行うことができるのはもちろんのこと、左右側に分割構成される骨盤運動器具の分解及び組立が容易であって前記骨盤運動器具の着脱、携帯及び保管が簡便で容易になり、前記左右側に分割構成されることにより、家庭又は事務室の椅子クッション部に固定用ベルトを介して簡便に組み立てて使うことができる骨盤強化用運動器具を提供することにある。
【課題を解決するための手段】
【００１０】
前記目的を達成するための技術的な構成として、本発明の骨盤運動器具は、上部に取っ手部が備えられ、前記取っ手部の下方に長く延設される円筒状の挿脱管と、前記円筒状の挿脱管が挿脱できるように内部に円筒状空間部が形成され、前記挿脱管の一側に弾力的に突出する突起が選択的に結合固定されるようにかつ長さを調節するようことができるように一側に多数の孔が下方に長く配設される円筒状の支持管と、前記挿脱管と密着して固定されるように前記支持管の軸上に位置するパッキング部と、前記円筒状の挿脱管の取っ手部の下部一側に前方に一定角度で傾いて前記挿脱管に一体に延設される支持軸の一側端部にクッション支持板が付着され、前記支持軸の軸上に運動者の脚部位が位置したままで回転できるように取り付けられる円筒状クッション部と、前記円筒状支持管の下端部が結合される支持軸と前記支持軸の後方上側及び下側にそれぞれ横設される上部及び下部係止軸がそれぞれ形成され、内部には前記上部及び下部係止軸の間で前記円筒状支持管が軸を中心に上下左右に角度調節できるように空間部が形成される両側固定板と、前記両側固定板の下端部が取り付けられる固定板支持具と、前記両側固定板が取り付けられる固定板支持具の端部に一側が結合ボルトによって結合固定されて水平方向に長く延設され、他側にも円筒状支持管が軸を中心に上下左右に角度調節できるように固定板が取り付けられる固定板支持具の端部が結合ボルトによって結合固定される両側支持具連結バーと、前記両側支持具連結バーの下部両側にスクリューによって固定的に取り付けられ、椅子のクッション部に締結されることにより、前記両側支持具連結バー及びこれに取り付けられる挿脱管及び円筒状の支持管を固定するように前記両側支持具連結バーの下側に取り付けられる固定用ベルトとを含み、前記両側固定板支持具を結合ボルトによって連結及び結合する両側支持具連結バーは、前記結合ボルトの下側に取っ手用回動具が取り付けられ、前記両側支持具連結バーは二つの固定用ベルトと前記両側支持具連結バーに形成された三つのボルト孔を通過する結合ボルトによって固定されるように、椅子のクッション部の下側に位置することを特徴とする。
【発明の効果】
【００１１】
本発明による骨盤強化用運動器具の実施形態によれば、円筒状の挿脱管の上部に備えられた取っ手部を手で握り、前記取っ手部の下部一側に取り付けられた円筒状クッション部に運動者の脚をそれぞれ載せてから上下左右に動く簡単な動作によって両膝を閉じたり広げたりする運動を行うとき、骨盤と骨盤腔内の泌尿生殖系統の括約筋などが強く収縮する運動効果が得られ、骨盤運動者の脚長に合わせて前記円筒状クッション部が取り付けられた挿脱管の高さを手軽くて容易に調節するようにし、特に人体の脚が位置する円筒状クッション部が前方に一定角度で傾いて取り付けられ、骨盤運動者は両側脚部が一定角度で広がっている楽な状態で両膝を閉じたり広げたりする運動を行うことができるのはもちろんのこと、左右側に分割構成される骨盤運動器具の分解及び組立が容易であって前記骨盤運動器具の着脱、携帯及び保管が簡便で容易になり、前記左右側に分割構成されることにより、家庭又は事務室の椅子クッション部に固定用ベルトを介して簡便に組み立てて使うことができる優れた効果がある。
【図面の簡単な説明】
【００１２】
【図１】従来の骨盤運動器具の概略斜視図である。
【図２】本発明による骨盤強化用運動器具の概略斜視図である。
【図３】本発明による骨盤強化用運動器具の概略分解斜視図である。
【図４】本発明による骨盤強化用運動器具の正面構造図である。
【図５】本発明による骨盤強化用運動器具の作動構造図である。
【発明を実施するための形態】
【００１３】
以下、添付図面に基づいて本発明の実施例を詳細に説明する。
【００１４】
図２は本発明による骨盤強化用運動器具の概略斜視図、図３は本発明による骨盤強化用運動器具の概略分解斜視図、図４は本発明による骨盤強化用運動器具の正面構造図、図５は本発明による骨盤強化用運動器具の作動構造図である。
【００１５】
すなわち、本発明の骨盤運動器具１００は、上部に取っ手部１１０を備え、前記取っ手部１１０の方向に長く延設される円筒状の挿脱管１２０が挿脱できるように内部に円筒状空間部が形成された円筒状の支持管１３０を備える。
【００１６】
ここで、前記円筒状の支持管１３０は、前記挿脱管１２０の一側に弾力的に突出する突起１３２が選択的に結合されて固定されるように、一側に多数の孔が下方に長く配列されるように形成される。
【００１７】
また、前記支持管１３０の軸上には前記挿脱管１２０と密着して固定されるパッキング部１４０が位置し、前記円筒状の挿脱管１２０の取っ手部１１０の下部一側には前方に一定角度θで傾いて支持軸１５１が一体に延設され、前記支持軸１５１の端部にはクッション支持板１５２が付着され、前記支持軸１５１の軸上に運動者の脚部位が位置し、回転可能に円筒状クッション部１５０が取り付けられる。
【００１８】
また、前記円筒状支持管１３０の下端部が結合される支持軸１６１と前記支持軸１６１の後方上側及び下側にそれぞれ横設される上部及び下部係止軸１６２、１６３がそれぞれ形成された両側固定板１６０の内部には、前記上部及び下部係止軸１６２、１６３の間で前記円筒状支持管１３０が軸１６１を介して上下左右に角度調節できるように空間部が形成され、前記両側固定板１６０の下端部は固定板支持具１７０上に取り付けられる。
【００１９】
これに加え、前記両側固定板１６０が取り付けられる固定板支持具１７０の端部には両側支持具連結バー１８０の一側が結合ボルトＢによって結合固定されて水平方向に長く延設され、前記両側支持具連結バー１８０の他側にも円筒状支持管１３０が上下に角度調節できるように固定板１６０が取り付けられた固定板支持具１７０の端部が結合ボルトＢによって結合固定される一方、前記両側支持具連結バー１８０の下部両側に固定用ベルト２００が取り付けられ、前記両側支持具連結バー１８０は二つの固定用ベルト２００と前記両側支持具連結バー１８０に形成される三つのボルト孔Ｐに結合される結合ボルトＢ’によって椅子のクッション部の下部に締結することで、前記両側支持具連結バー１８０及びこれに取り付けられる挿脱管１２０及び円筒状の支持管１３０を固定し、前記両側支持具連結バー１８０には前記結合ボルトＢの下側に備えられた取っ手用回動具１９０が取り付けられる構成となる。
【００２０】
このように構成される本発明の作用及び効果を説明すれば次のようである。
【００２１】
図２〜図５に示すように、本発明の骨盤強化用運動器具は、運動者の両膝を閉じたり広げたりする運動を行って、骨盤と骨盤腔内の泌尿生殖系統の括約筋などが強く収縮及び弛緩する運動効果を得ることができる。本発明の骨盤運動器具１００は、円筒状の挿脱管１２０の上部に備えられる取っ手部１１０を手で握り、前記取っ手部１１０の下部一側に前方に一定角度θで、例えば３０度の角度で傾いて回転可能に支持軸１５１上に取り付けられた円筒状クッション部１５０に運動者の脚を載せてから上下左右に動く簡単な動作によって、前記円筒状の挿脱管１２０と結合される円筒状の支持管１３０が下側の両側固定板１６０間の空間部で上下左右に移動しながら両膝を閉じたり広げたりする運動を行うようになる。
【００２２】
ここで、前記取っ手部１１０の下方に長く延設される円筒状の挿脱管１２０は円筒状の支持管１３０の内側円筒状空間部に挿脱可能である。ここで、前記円筒状の支持管１３０の一側には多数の孔が形成され、前記挿脱管１２０の一側に弾力的に突出する突起１３２が選択的に結合されて固定される。
【００２３】
これにより、骨盤運動者の脚長に合わせて、前記円筒状クッション部１５０が取り付けられた挿脱管１２０の高さを手軽くて容易に調節することができる。
【００２４】
また、前記円筒状支持管１３０の下端部は両側固定板１６０の間に横設された支持軸１６１に一体に結合された状態で、前記支持軸１６１の後方上側及び下側にそれぞれ横設される上部及び下部係止軸１６２、１６３間の空間部で前記円筒状支持管１３０が軸１６１を中心に上下左右に角度調節されることができる。
【００２５】
前記両側固定板１６０の下端部は固定板支持具１７０上に取り付けられ、骨盤運動者は両側脚部が一定角度で広がっている楽な状態で両膝を閉じたり広げたりする運動を行うことができる。
【００２６】
これに加え、前記両側固定板１６０が取り付けられる固定板支持具１７０の端部には両側支持具連結バー１８０の一側が結合ボルトＢによって結合固定されて水平方向に長く延設され、前記両側支持具連結バー１８０の他側にも円筒状支持管１３０が上下に角度調節できるように固定板１６０が取り付けられる固定板支持具１７０の端部が結合ボルトＢによって結合固定されることにより、前記左右側に分割構成される骨盤運動器具１００の分解及び組立が容易になり、さらに前記骨盤運動器具１００の携帯及び保管が簡便で容易になることができる。
【００２７】
また、前記両側支持具連結バー１８０の下部両側に取り付けられる固定用ベルト２００と三つの結合ボルトＢ’を用いて椅子のクッション部の下側部位に締結することにより、前記両側支持具連結バー１８０及びこれに取り付けられる挿脱管１２０及び円筒状の支持管１３０を固定し、前記左右側に分割構成される骨盤運動器具１００の両側支持具連結バー１８０は結合ボルトＢ下側に設けられた取っ手用回動具１９０によって家庭又は事務室の椅子クッション部の前部下側に着脱可能に設置して使うことができるものである。
【符号の説明】
【００２８】
１００    骨盤運動器具
１１０    取っ手部
１２０    挿脱管
１３０    支持管
１３２    突起
１４０    パッキング部
１５０    円筒状クッション部
１５１    支持軸
１５２    クッション支持板
１６０    両側固定板
１６１    支持軸
１６２、１６３    上部及び下部係止軸
１７０    固定板支持具
１８０    両側支持具連結バー
１９０    取っ手用回動具
２００    固定用ベルト
Ｂ、Ｂ’    結合ボルト
Ｐ    ボルト孔
【図１】
2019098189.tif 000003
【図２】
2019098189.tif 000004
【図３】
2019098189.tif 000005
【図４】
2019098189.tif 000006
【図５】
2019098189.tif 000007